(57)【要約】【課題】熱交換器を筐体の背面および両側面の全域に亘らせることで必要な熱交換性能を確保した上で、筐体強度を維持し、省設置面積で設置することを可能にする空気調和器又は冷凍機の室外機を得る。【解決手段】空気調和機又は冷凍機の室外機において、この室外機を、ファンを装着して底ベース上に圧縮機と熱交換機を搭載する筐体と、ファンと圧縮機とを制御する制御部を内蔵した制御部筐体と、折り曲げて形成された２つの面を有して一方の面で筐体の側面の一部をカバーして他方の面で筐体の正面の一部をカバーする左右１対の側面カバーとを備えて構成し、制御部筐体が左右１対の側面カバーのうちの少なくとも一方の側面カバーの筐体の正面の一部をカバーする面の上部で圧縮機を筐体部の内部に出し入れする際に障害とならない高さの位置に固定するように構成した。【選択図】  図２
2017053577.tif 000002
【特許請求の範囲】
【請求項１】
空気調和機又は冷凍機の室外機であって、
ファンを装着して底ベース上に圧縮機と熱交換機を搭載する筐体と、
前記ファンと前記圧縮機とを制御する制御部を内蔵した制御部筐体と、
折り曲げて形成された２つの面を有して一方の面で前記筐体の側面の一部をカバーして他方の面で前記筐体の正面の一部をカバーする左右１対の側面カバーとを備え、
前記制御部筐体が前記左右１対の側面カバーのうちの少なくとも一方の側面カバーの前記筐体の正面の一部をカバーする面の上部で前記圧縮機を前記筐体部の内部に出し入れする際に障害とならない高さの位置に固定されていることを特徴とする室外機。
【請求項２】
請求項１記載の室外機であって、前記制御部筐体が前記左右１対の側面カバーの双方の前記筐体の正面の一部をカバーする面の上部で前記圧縮機を前記筐体部の内部に出し入れする際に障害とならない高さの位置に固定されていることを特徴とする室外機。
【請求項３】
請求項２記載の室外機であって、前記制御部筐体を前記左右１対の側面カバーの双方の側面カバーに固定することにより前記筐体部の曲げ強度及びねじり強度を増強していることを特徴とする室外機。
【請求項４】
請求項１記載の室外機であって、前記制御部筐体が、前記左右１対の側面カバーの何れか一方の側面カバーの前記筐体の正面の一部をカバーする面と、前記左右１対の側面カバーの間で前記筐体の前面の側に取り付けられた固定板とに固定されていることを特徴とする室外機。
【請求項５】
請求項４記載の室外機であって、前記制御部筐体を前記左右１対の側面カバーのうちの一方の側面カバーと前記固定板とに固定することにより前記筐体部の曲げ強度及びねじり強度を増強していることを特徴とする室外機。
【請求項６】
空気調和機又は冷凍機の室外機であって、
空気を吸い込み吐き出すファンと、
熱交換器と、
冷媒を圧縮する圧縮機と、
前記ファン又は前記圧縮機を制御する制御部を内蔵した制御部筐体と、
前記熱交換機と前記圧縮機と前記制御部筐体とを内部に収納し上面に前記ファンを取り付ける筐体部とを有し、
前記筐体部は折り曲げて形成された２つの面を有して一方の面で前記筐体の側面の一部をカバーして他方の面で前記筐体の正面の一部をカバーする左右１対の側面カバーと、前記左右１対の側面カバーの前記筐体の正面の一部をカバーする部分に着脱可能に取り付けられたメンテナンスパネルを備え、
前記左右１対の側面カバーのうちの少なくとも一方の側面カバーの前記筐体の正面の一部をカバーする面の前記メンテナンスパネルの内側で、前記圧縮機を前記筐体部の内部に出し入れする際に障害とならない高さの位置に前記制御部筐体が固定部材で固定されていることを特徴とする室外機。
【請求項７】
請求項６記載の室外機であって、前記制御部筐体が前記左右１対の側面カバーの双方の側面カバーの前記筐体の正面の一部をカバーする面の上部で前記圧縮機を前記筐体部の内部に出し入れする際に障害とならない高さの位置に固定されていることを特徴とする室外機。
【請求項８】
請求項７記載の室外機であって、前記制御部筐体を前記左右１対の側面カバーの双方の側面カバーに固定することにより前記筐体部の曲げ強度及びねじり強度を増強していることを特徴とする室外機。
【請求項９】
請求項６記載の室外機であって、前記制御部筐体が、前記左右１対の側面カバーの一方の側面カバーの前記筐体の正面の一部をカバーする面と、前記左右１対の側面カバーの間で前記筐体の前面に取り付けられた固定板とに固定されていることを特徴とする室外機。
【請求項１０】
請求項９記載の室外機であって、前記制御部筐体を前記左右１対の側面カバーのうちの一方の側面カバーと前記固定板とに固定することにより前記筐体部の曲げ強度及びねじり強度を増強していることを特徴とする室外機。
【発明の詳細な説明】
【技術分野】
【０００１】
本発明は、空気調和機や冷凍機等の室外機に係り、特にコンパクト化、低コスト化などが図れる空気調和機又は冷凍機の室外機に関するものである。
【背景技術】
【０００２】
オフィスや工場などを冷暖する空気調和機は、室内に配設される室内機と、屋外に配設
される室外機を備えている。室外機は、筐体内に設けられた熱交換器により冷媒配管を通過する冷媒と外気とを熱交換させ、冷媒を蒸発或いは凝縮させた後に室内機に供給する。室内機は、室外機から供給された冷媒の潜熱を利用して室内空気を冷却或いは加熱させる。
【０００３】
ビル向けの空気調和機のように比較的大きな空調能力が求められる場合、複数の室外機を接続して一つの冷媒系統を構成する、いわゆるモジュール式とする形態が近年では主流となっている。
【０００４】
このようなモジュール式の場合、複数の室外機を連続設置して室外機を構成するため、連続設置した室外機合計の設置面積が大きくなるという課題がある。そこで単体の室外機の設置面積を抑えながら、必要な熱交換器容量を確保するために、熱交換器の高さを大きくするか、筐体の背面のみならず、筐体の側面や前面まで熱交換器が亘るよう構成されることがある。
【０００５】
なお、この種の従来技術としては特許文献１に記載されたものなどがある。
【先行技術文献】
【特許文献】
【０００６】
【特許文献１】特許第5380503号公報
【発明の概要】
【発明が解決しようとする課題】
【０００７】
特許文献１などに記載された従来技術のものでは、熱交換器を筐体の背面から側面にまで亘らせており、室外機の高さ寸法を増大させることなく、所定の伝熱面積を確保することができる。しかしながら、このような場合、熱交換器を筐体の側面まで亘らせることにより、熱交換器を露出させるために側面を覆う筐体に大きな開口を設けなければならない。その結果、筐体の側面を支持する板金部材の面積が小さくなり、筐体の強度が低下するという課題がある。
【０００８】
本発明の目的は、熱交換器を筐体の背面および両側面の全域に亘らせることで必要な熱交換性能を確保した上で、筐体強度を維持し、省設置面積で設置することを可能にする空気調和器又は冷凍機の室外機を得ることにある。
【課題を解決するための手段】
【０００９】
上記した課題を解決するために、本発明では、空気調和機又は冷凍機の室外機において、この室外機を、ファンを装着して底ベース上に圧縮機と熱交換機を搭載する筐体と、ファンと圧縮機とを制御する制御部を内蔵した制御部筐体と、折り曲げて形成された２つの面を有して一方の面で筐体の側面の一部をカバーして他方の面で筐体の正面の一部をカバーする左右１対の側面カバーとを備えて構成し、制御部筐体が左右１対の側面カバーのうちの少なくとも一方の側面カバーの筐体の正面の一部をカバーする面の上部で圧縮機を筐体部の内部に出し入れする際に障害とならない高さの位置に固定するように構成した。
【００１０】
また、上記した課題を解決するために、本発明では、空気調和機又は冷凍機の室外機において、この室外機を、空気を吸い込み吐き出すファンと、熱交換器と、冷媒を圧縮する圧縮機と、ファン又は圧縮機を制御する制御部を内蔵した制御部筐体と、熱交換機と圧縮機と制御部筐体とを内部に収納し上面にファンを取り付ける筐体部とを備えて構成し、筐体部は折り曲げて形成された２つの面を有して一方の面で筐体の側面の一部をカバーして他方の面で筐体の正面の一部をカバーする左右１対の側面カバーと、この左右１対の側面カバーの筐体の正面の一部をカバーする部分に着脱可能に取り付けられたメンテナンスパネルを備え、左右１対の側面カバーのうちの少なくとも一方の側面カバーの筐体の正面の一部をカバーする面のメンテナンスパネルの内側で、圧縮機を筐体部の内部に出し入れする際に障害とならない高さの位置に制御部筐体を固定部材で固定するように構成した。
【発明の効果】
【００１１】
本発明によれば、制御部筐体が室外機の筐体の補強を兼ねることにより、余分な補強部材を用いることなく筐体カバーの強度不足を補うことができるとともに、制御部筺体を室外機の筐体の上方かつ筐体の正面に配置しているため、圧縮機を室外機の筐体の正面から出し入れを行う際に障害となるものがなく、圧縮機の取り付け、取り外しを容易に行うことができるようになった。
【図面の簡単な説明】
【００１２】
【図１】本発明の実施例１に係る空調室外機の正面図である。
【図２】本発明の実施例１に係る空調室外機の図２のＡ−Ａ線による断面図である。
【図３】本発明の実施例２に係る空調室外機の正面図である。
【図４】本発明の実施例２に係る空調室外機の図４のＢ−Ｂ線による断面図である。
【発明を実施するための形態】
【００１３】
本発明は、空気調和機又は冷凍機の室外機において、室外機の筺体の側面と正面の一部をカバーする側面カバーの上部に室外機の制御部筺体を固定する構成とすることにより、室外機の筐体の曲げやねじり強度を補強するとともに、室外機の筐体の前面に圧縮機を出し入れするのに障害となるものを無くして、室外機の組立性やメンテナンス性を向上させるようにしたものである。
【００１４】
本実施の形態を説明するための全図において同一機能を有するものは同一の符号を付すようにし、その繰り返しの説明は原則として省略する。以下、本発明の実施の形態を図面に基づいて詳細に説明する。
【００１５】
ただし、本発明は以下に示す実施の形態の記載内容に限定して解釈されるものではない。本発明の思想ないし趣旨から逸脱しない範囲で、その具体的構成を変更し得ることは当業者であれば容易に理解される。
【実施例１】
【００１６】
本発明の実施例を、空気調和機の室外機を例に説明する。
【００１７】
図１は、実施例１に係る空気調和機１０００の室外機１００の正面断面図であり、図２は図１のＡ−Ａ線による断面図である。
【００１８】
図１及び図２において、１は空気調和機の室外機１００の筐体、２は筐体１の内部の空気の吸い込み、吹き出しを行うファン、３−１と３−２はそれぞれ熱交換器、４は圧縮機、５はアキュムレータ、６はヘッダ管、７は制御部筐体で内部に制御回路部品が収納されている。８は筐体1の左側の前面と側面とをカバーする筐体左カバー、８１は筐体1の左後側をカバーする筐体左後カバー、９は筐体１の右側の前面と側面とをカバーする筐体右カバー、９１は筐体１の右後側の筐体右後カバー、１０は圧縮機４やアキュムレータ５を搭載して固定する底板、１１は固定具、１２は筐体１の前面を覆い筐体１に対して着脱可能に取り付けられているメンテナンスパネルである。
【００１９】
底板１０は、四周の端部が上側に折り曲げられて縁部１０１が形成されている。筐体1の内部には、いろいろな配管や電気配線が張り巡らされているが、図示を簡素化するために、それらの表示を省略している。
【００２０】
筐体左カバー８、筐体左後カバー８１、筐体右カバー９、筐体右後カバー９１は、それぞれ下端部分の付近で底板１０の端部の上側に折り曲げられた縁部１０１にねじまたはボルトで締結されており、また、それぞれの上端部付近は、図示していない筐体１の上面に取り付けられた天板にねじまたはボルトで締結されて固定されている。
【００２１】
図１において、ファン２は、空調室外機の筐体１の上方に２つ、筐体正面からみて左右に並設されており、上方に空気を吹出すように設けられている。
【００２２】
筐体１の内部には、圧縮機４やアキュムレータ５といった容器が搭載され、それらは筐体１の底板１０に固定されている。また、図示していないが熱交換器３−１及び３−２を流れる冷媒の流れ方向を変えるための四方弁、熱交換器３−１及び３−２の端部に設けられるヘッダ管６(図２参照)などと図示していない冷媒配管によって接続することで冷凍サイクルを形成する。
【００２３】
図１において、筐体１の正面左側と右側には、それぞれ筐体左カバー８および筐体右カバー９が設けられている。筐体左カバー８および筐体右カバー９は、図２に示すように、筺体１の正面の側(図２に示す筐体１の下側の面)に向く面と側面の側(図２に示す筐体１の右側又は左側の面)に向く面を持っている。筐体左カバー８および筐体右カバー９の筺体１の正面の側に向く面の部分は、２段の段差形状に成形されている。これらの筐体左カバー８と筐体右カバー９及び筐体左後カバー８１と筐体右後カバー９１は、図示していないがファンを回転させるファンモータや、ファンモータを支えるクランプ、ファンを囲うシュラウドといった筐体１の上方に配置される重量物を支える役割を果たす。
【００２４】
また、図１および図２において、圧縮機４やファンモータを駆動させるための制御回路部を内蔵した制御部筐体７を、筐体１の上方かつ正面に沿うように配置している。制御部筐体７は、図示していない制御回路部の回路基板や端子台といった電気部品を内部に格納した板金部材で構成されているため、重量物である。この制御部筐体7も前記筐体左カバー８及び筐体右カバー９によって保持されている。
【００２５】
また、図２において、２つの略コの字型の熱交換器３−１と３−２が、ファン２と同様に、筐体１の正面からみて左右に並設されており、それぞれ左右のファン２を囲むように設けられている。なお、これらの熱交換器３−１と３−２は左右それぞれにおいて、筐体１の正面を除いて側面に沿って設けられている。また、左右それぞれの熱交換器３−１と３−２の折り曲げた長さは、筐体側面側(図２で筐体1の右側面の側と左側面の側)で長く、筐体内側(図２で、ヘッダ管６と接続する側)で短くなるように構成されている。
【００２６】
このように熱交換器３−１と３−２を筐体１の背面および左右両側面に沿って配置すれば、筐体１の設置面積を拡大させることなく必要な熱交換器３−１と３−２の容積を確保することができる。しかし、熱交換器３−１と３−２はファン２の空気吸込口となるため、熱交換器３−１と３−２を介して外気を筐体１の内部に取り込むことができるような構造としなければならない。そこで、筐体左カバー８と筐体左後カバー８１との間、および筐体右カバー９と筐体右後カバー９１の間を開けてそれぞれを取り付ける構造となる。そのために、周囲を全面カバーで覆った場合と比べると、筐体１の強度が低下してしまう。
【００２７】
また、圧縮機４を筐体１の内部に出し入れするためには、筐体1の前面(図２では筐体1の下側の面)には、圧縮機４を筐体１の内部に出し入れする時に障害となるものを配置することができない。したがって、このままでは筐体1の前面に補強がなく、筐体1は曲げやひねりに弱い構造となってしまう。
【００２８】
このため、実施例１においては、制御部筐体７の両側に端部７１及び７２を形成し、この両側の端部７１及び７２を筐体左カバー８の筺体１の前面の側に折り曲げた部分、および筐体右カバー９の筺体１の前面の側に折り曲げた部分にそれぞれ少なくとも１つの固定具１１によって締結する構成とした。固定具１１としては、例えばボルトとナットとを組合せたものを用いればよい。
【００２９】
制御部筐体7は、図２に示すように箱型の形状をしており、1枚の板の場合と比べて剛性が大きく、曲げやねじりの力が加わっても変形しにくい。このように、そのままでは強度が弱くなってしまう筐体1に、筐体左カバー８および筐体右カバー９のそれぞれ筐体1の前面の側に折り曲げた面に制御部筐体７の両側の端部７１及び７２を固定する構成とすることにより、筐体左カバー８および筐体右カバー９の曲げやねじりに対する強度不足を補うことができる。
【００３０】
筐体左カバー８および筐体右カバー９の筺体１の正面の側に向く面の部分は、２段の段差形状に成形されている。この段差形状部の１段目にはメンテナンスパネル１２が図示していない固定具で取り付けられ、段差形状部の２段目には制御部筐体７が取り付けるようにして、通常は前面をメンテナンスパネル１２で覆って、制御部筐体７は直接外気に曝されないようにしてある。なお、メンテナンスパネル１２は、筐体左カバー８および筐体右カバー９に対してボルトまたはねじで着脱可能に取り付けられている。
【００３１】
図１には、筐体１の前面を覆うメンテナンスパネル１２を外した状態を示している。図１に示した構成では、制御部筐体7の端部７１を筐体左カバー８に１つの固定具１１で固定した例を示したが、本実施例ではこれに限定されることはなく、固定具１１を複数用いてそれぞれ筐体左カバー８及び筐体右カバー９に固定するようにしてもよい。
【００３２】
また、制御部筐体７が筐体１の補強を兼ねることにより、余分な補強部材を用いることなく筐体左カバー８および筐体右カバー９の強度不足を補うことができる。
【００３３】
更に、制御部筺体７を筐体１の上方かつ筐体１の正面に配置しているため、圧縮機４を筐体１の正面(前面)から出し入れを行う際に障害となるものがなく、圧縮機４の取り付け、取り外しを容易に行うことができる。更に、メンテナンス性に優れるほか、圧縮機４を筐体１の中央かつ前面に配置できるため、圧縮機４が故障した際の交換性に優れ、また筐体１全体の重心バランスも良い。
【実施例２】
【００３４】
図３は、実施例２に係る室外機１１０の正面断面図であり、図４は図３のＢ−Ｂ線による断面図である。各図において同一符号を付した部分は同一部分を示す。
【００３５】
実施例２に係る室外機１１０は、実施例１に係る空調室外機１００よりも、より大きな冷暖房能力が求められる場合の室外機１１０を示している。基本的な構成は実施例１に係る室外機１００と同様であるが、底板２１０を広げ、筐体２０の幅を大きくして熱交換器２３−１及び２３-２の伝熱面積を拡大している。
【００３６】
実施例１と比べ、筐体２０の上方に設けられるファン２２、及び図示していないファンモータやシュラウドといった重量物はさらに重くなるため、底板２１０の縁部２１１と図示していない天板に固定される筐体左カバー２８や筐体右カバー２９、筐体左後カバー８１、筐体右後カバー９１等には更なる強度が必要とされるが、コスト的には筐体左カバー２８や筐体右カバー２９、筐体左後カバー８１、筐体右後カバー９１等といった部品の板厚を厚くすることは難しく、また実施例１で用いる筐体左カバー８や筐体右カバー９、筐体左後カバー８１、筐体右後カバー９１等を共用できることが望ましい。
【００３７】
このため実施例２では、筐体２０の正面かつ筐体２０の幅中心から右側に固定板３０を設け、筐体左カバー２８と筐体右カバー２９の強度不足を補っている。さらに、制御部筐体７を実施例１と同様に、制御部筐体７の左側端部７１を筐体左カバー２８に、制御部筐体７の右側端部７２を固定板３０に少なくとも１つの固定具１１によって締結する構造とした。このような構成とすることにより、それぞれの強度を補足することができる。
【００３８】
また、より大きな冷暖房能力を発揮するために圧縮機４を２台以上搭載する場合も、図３および図４のように筐体１１の正面かつ中央に設置できるため、圧縮機４が故障した際の交換性に優れ、また筐体１全体の重心バランスも良い。制御部筐体７を取り付けた筐体２０の前面には、メンテナンスパネル１２１取り付けて、制御部筐体７を含む筐体２０の前面を覆っている。
【００３９】
なお、上記に説明した実施例１及び実施例２においては、空気調和機の室外機の例について説明したが、本発明はこれに限定されるものではなく、冷凍機の室外機にも適用することができる。
【符号の説明】
【００４０】
１，２０・・・筐体    ２・・・ファン    ３−１，３−２，２３−１，２３−２・・・熱交換器    ４・・・圧縮機    ５・・・アキュムレータ    ６・・・ヘッダ管    ７・・・制御部筐体    ７１，７２・・・制御部筐体の端部    ８，２８・・・筐体左カバー    ８１・・・筐体左後カバー    ９，２９・・・筐体右カバー    ９１・・・筐体右後カバー    １０，２１０・・・底板    １１・・・固定具    １２，１２１・・・メンテナンスパネル    ３０・・・固定板    １００，１１０・・・室外機。
【図１】
2017053577.tif 000003
【図２】
2017053577.tif 000004
【図３】
2017053577.tif 000005
【図４】
2017053577.tif 000006